(57)【要約】      （修正有）【課題】絵画等の展示パネルを簡単で確実に吊り下げができること。【解決手段】側部を開口した固定用溝部２と、前記固定用溝部の下方に下部を開口したスライド溝部３とを有するレール１を、ネジ５で壁面に固定されるブラケット４に固定用溝部を介して装着した展示パネル用壁面固定レールとした。【選択図】図６
0003100820.tif 000002
【実用新案登録請求の範囲】
【請求項１】
側部を開口した固定用溝部と、前記固定用溝部の下方に下部を開口したスライド溝部とを有するレールを、ネジで壁面に固定されるブラケットに固定用溝部を介して装着した展示パネル用壁面固定レール。
【請求項２】
ブラケットは外周面に環状溝を刻設した円板で、固定用溝部にはその内面に前記ブラケットの環状溝に嵌まる内向き突起を設けた請求項１記載の展示パネル用壁面固定レール。
【請求項３】
固定用溝部の内向き突起はブラケットの環状溝に嵌まるものの外に、円板の端面を案内するものとの２条である請求項２記載の展示パネル用壁面固定レール。
【考案の詳細な説明】
【技術分野】
【０００１】
本考案は、展示パネル用壁面固定レールに関し、特に、絵画等の展示パネルを簡単で確実に吊り下げられるものについてである。
【背景技術】
【０００２】
従来の展示パネルの吊り下げは、ネジで壁面に取付けられたレールに吊り下げた支持具により行っている。
【特許文献１】特開２００３−２２７２１９
【考案の開示】
【考案が解決しようとする課題】
【０００３】
レールのネジによる取付けは、必ずしも簡単ではなかった。
【課題を解決するための手段】
【０００４】
そこで、本考案は、上記の事情に鑑み、絵画等の展示パネルを簡単で確実に吊り下げられるようにすべく、側部を開口した固定用溝部と、前記固定用溝部の下方に下部を開口したスライド溝部とを有するレールを、ネジで壁面に固定されるブラケットに固定用溝部を介して装着した展示パネル用壁面固定レールとした。
【０００５】
また、本考案は、絵画等の展示パネルを簡単で確実に吊り下げられるようにすべく、ブラケットは外周面に環状溝を刻設した円板で、固定用溝部にはその内面に前記ブラケットの環状溝に嵌まる内向き突起を設けた展示パネル用壁面固定レールとした。
【０００６】
さらに、本発明は、絵画等の展示パネルを簡単で確実に吊り下げられるようにすべく、固定用溝部の内向き突起はブラケットの環状溝に嵌まるものの外に、円板の端面を案内するものとの２条である展示パネル用壁面固定レールとした。
【考案の効果】
【０００７】
本考案は、上述のように、側部を開口した固定用溝部と、前記固定用溝部の下方に下部を開口したスライド溝部とを有するレールを、ネジで壁面に固定されるブラケットに固定用溝部を介して装着した展示パネル用壁面固定レールであるので、絵画等の展示パネルを簡単で確実に吊り下げられる。また、従来はネジが外から見え、外観上好ましくなかったが、本考案のネジは外から見えず、外観上好ましい。
【０００８】
また、本考案は、ブラケットは外周面に環状溝を刻設した円板で、固定用溝部にはその内面に前記ブラケットの環状溝に嵌まる内向き突起を設けた展示パネル用壁面固定レールであるので、絵画等の展示パネルを簡単で確実に吊り下げられる。
【０００９】
さらに、本考案は、固定用溝部の内向き突起はブラケットの環状溝に嵌まるものの外に、円板の端面を案内するものとの２条である展示パネル用壁面固定レールであるので、絵画等の展示パネルを簡単で確実に吊り下げられる。
【考案を実施するための最良の形態】
【００１０】
本考案を添付する図面に示す具体的な実施例に基づいて、以下詳細に説明する。
【００１１】
図１にレールの斜視図を示す。
【００１２】
レール１は、アルミ製の押出型材で、側部を開口した固定用溝部２と、前記固定用溝部２の下方に下部を開口したスライド溝部３とを有する。
【００１３】
このレール１を図２に示す樹脂製円板状ブラケット４と、図３に示すネジ５とを用いて壁面に取付ける。ブラケット４は外周面に円環溝６を刻設し、中心にネジ５を通す挿通孔７を穿設する。ネジ５の軸部には螺旋状のネジ山８を形成し、頭部９には十字穴１０を刻設する。ブラケット４には前記頭部９を収容する座穴１１を設ける。
【００１４】
レール１の固定用溝部２の上下内面にはそれぞれ対向する位置に内向き突起１１1 ・１１2 ・１２1 ・１２2 を突設する。この内向き突起１１1 ・１２1 がブラケット４の円環溝６に嵌まり、内向き突起１１2 ・１２2 はブラケット４の端面を案内する。また、スライド溝部３の左右内面下端にはそれぞれ内向き支持片１３1 ・１３2 を突設する。
【００１５】
本考案のレール１の壁面への取付け要領を図４〜図６に示す。
【００１６】
まず、図４に示すように、レール１の取付予定箇所にブラケット４をネジ５にて螺締する。レール１を水平状に取付けねばならないため、ブラケット４の取付個数は２箇所以上である。
【００１７】
次に、図５に示すように、ブラケット４の円環溝６にレール１の内向き突起１１1 を嵌める。
【００１８】
続いて、図６に示すように、ブラケット４の円環溝６にレール１の内向き突起１２1 を嵌める。レール１の取付けが完了した状態である。
【００１９】
図７、図８は壁面に固定されたケース１に展示パネルの支持具を装着した状態を示す。      
【００２０】
レール１の両端の開口はそれぞれエンドキャップ１４で閉塞する。
【００２１】
スライドフック１５はエンドキャップ１４でレール１の開口を塞ぐ前にスライド溝部３に嵌めておく。ハンガーセット１６はエンドキャップ１４でレール１の開口を塞いだ後に固定用溝部２に装着できる。
【実施例】
【００２２】
レール１の幅は８ｍｍ、高さ１８ｍｍで、長さは適宜長さに設定できる。
【産業上の利用可能性】
【００２３】
本考案の展示パネル用壁面固定レールは、展示パネル用だけでなく、その他の吊り下げに利用できる。
【図面の簡単な説明】
【００２４】
【図１】本考案の展示パネル用壁面固定レールに係るレールの斜視図である。
【図２】本考案のブラケットの断面図である。
【図３】本考案のネジの正面図である。
【図４】本考案のレールを壁面でネジで取付けた状態の縦断面図である。
【図５】本考案のレールの上の内向き突起をブラケットの円環溝に嵌めた状態の縦断面図である。
【図６】本考案のレールの下の内向き突起をブラケットの円環溝に嵌めた状態の縦断面図である。
【図７】本考案の展示パネル用壁面レールに吊り具等を装着した状態の正面図である。
【図８】図７の左側面図である。
【符号の説明】
【００２５】
１…レール
２…固定用溝部
３…スライド溝部
４…ブラケット
５…ネジ
６…円環溝
７…挿通孔
８…ネジ山
９…頭部
１０…十字穴
１１1 ・１１2 ・１２1 ・１２2 …内向き突起
１３1 ・１３2 …内向き支持片
１４…エンドキャップ
１５…スライドフック
１６…ハンガーセット
【図１】
0003100820.tif 000003
【図２】
0003100820.tif 000004
【図３】
0003100820.tif 000005
【図４】
0003100820.tif 000006
【図５】
0003100820.tif 000007
【図６】
0003100820.tif 000008
【図７】
0003100820.tif 000009
【図８】
0003100820.tif 000010